(57)【特許請求の範囲】
【請求項１】
オンラインコミュニティにおいて他のユーザにアクセス可能であり、かつデータベースに格納されているプロファイルへのユーザによる追加情報の提出を促進するための方法であって、該方法は、コンピュータにより実行され、
該方法は、
該コンピュータが、第１のユーザから、該第１のユーザのプロファイルに含めるための情報を受信することであって、該プロファイルは、該オンラインコミュニティにおいて他のユーザにアクセス可能であり、かつ該データベースに格納されている、ことと、
該コンピュータが、第２のユーザから、該第１のユーザが該第１のユーザのプロファイルに追加情報を提出することの要求を受信することと、
該コンピュータが、該オンラインコミュニティにおいて他のユーザにアクセス可能であり、かつ該データベースに格納されている該第１のユーザのプロファイルへの該追加情報の提出を要求する個人的メッセージを該第１のユーザに送信することと
を含む、方法。
【請求項２】
前記コンピュータが、前記オンラインコミュニティのユーザの複数のプロファイルを検索することにより、前記第１のユーザによる前記追加情報の提出が前記第２のユーザにより所望されそうなユーザのサブセットを識別することと、
該コンピュータが、レビューおよび各ユーザのプロファイルへの追加情報の提出の要求の生成のために前記第２のユーザに前記ユーザのサブセットのプロファイルを提示することと
をさらに含む、請求項１に記載の方法。
【請求項３】
前記検索することは、前記第２のユーザのプロファイルに含まれた情報に基づく、請求項２に記載の方法。
【請求項４】
前記ユーザのサブセットは、前記第２のユーザに対する予測を生成するために用いられ得る欠損データであるプロファイルを有する、請求項２に記載の方法。
【請求項５】
前記予測は、医療結果に関する、請求項４に記載の方法。
【請求項６】
前記プロファイルは、医療情報を含む、請求項１に記載の方法。
【請求項７】
前記個人的メッセージは、１つ以上の構造化されたデータ入力フィールドを含む、請求項１に記載の方法。
【請求項８】
前記コンピュータが、前記第１のユーザから前記追加情報を受信することと、
該コンピュータが、前記追加情報によって、前記オンラインコミュニティにおいて他のユーザにアクセス可能であり、かつ前記データベースに格納されている前記第１のユーザのプロファイルを更新することと
をさらに含む、請求項１に記載の方法。
【請求項９】
前記個人的メッセージは、前記第２のユーザによって生成される構成要素を含む、請求項１に記載の方法。
【請求項１０】
前記コンピュータが、前記追加情報が受信された場合に、前記第２のユーザに通知することをさらに含む、請求項１に記載の方法。
【請求項１１】
前記追加情報は、少なくとも１つの病状測定基準を含む、請求項１に記載の方法。
【請求項１２】
前記追加情報は、介入データを含む、請求項１に記載の方法。
【請求項１３】
オンラインコミュニティにおいて他のユーザにアクセス可能であり、かつデータベースに格納されているプロファイルへのユーザによる追加情報の提出を促進するためのプログラムを記録したコンピュータ読み取り可能な記録媒体であって、該プログラムは、コンピュータに、
第１のユーザから、該第１のユーザのプロファイルに含めるための情報を受信するステップであって、該プロファイルは、該オンラインコミュニティにおいて他のユーザにアクセス可能であり、かつ、該データベースに格納されている、ステップと、
第２のユーザから、該第１のユーザが該第１のユーザのプロファイルに追加情報を提出することの要求を受信するステップと、
該オンラインコミュニティにおいて他のユーザにアクセス可能であり、かつ、該データベースに格納されている該第１のユーザのプロファイルへの該追加情報の提出を要求する個人的メッセージを該第１のユーザに送信するステップと
を実行させる、コンピュータ読み取り可能な記録媒体。
【請求項１４】
オンラインコミュニティにおいて他のユーザにアクセス可能であり、かつデータベースに格納されているプロファイルへのユーザによる追加情報の提出を促進するためのシステムであって、
該システムは、サーバと第１のクライアントとを備え、
該サーバは、
第１のユーザから、該第１のユーザのプロファイルに含めるための情報を受信することであって、該プロファイルは、該オンラインコミュニティにおいて他のユーザにアクセス可能であり、かつ、データベースに格納されている、ことと、
第２のユーザから、該第１のユーザが該第１のユーザのプロファイルに追加情報を提出することの要求を受信することと、
該オンラインコミュニティにおいて他のユーザにアクセス可能であり、かつ、該データベースに格納されている該第１のユーザのプロファイルへの該追加情報の提出を要求する個人的メッセージを該第１のユーザに送信することと
を実行するように構成され、
該第１のクライアントは、
該第１のユーザからの情報を該サーバに送信することと、
該サーバから個人的メッセージを受信することと
を実行するように構成される、システム。
【発明の詳細な説明】
【技術分野】
【０００１】
（関連出願）
本願は、米国仮特許出願第６１／１７４，１８９号（２００９年４月３０日出願）に基づく優先権を主張する。該出願の全てが参照により本明細書に援用される。
【０００２】
（技術分野）
本発明は、ユーザが、相互に十分な情報に基づいた決定に到達するのを支援するためのデータを格納または共有するオンラインコミュニティ内のユーザの挙動修正のためのシステムおよび方法に関する。本発明の実施形態は、特に、メッセージボードまたは他のオンラインコミュニティ等の双方向フォーラムに適用可能である。
【背景技術】
【０００３】
Ｗｏｒｌｄ  Ｗｉｄｅ  Ｗｅｂの出現は、人々に、事実上、あらゆるトピックに関する情報、意見、および経験を共有するという新しい機会をもたらす。ウェブベースのシステムおよび方法論の支援によって、共通の目標および関心を持つ人々は、地球上の至る所から瞬時に交信ならびに通信を行うことが可能である。
【０００４】
共通の目標または属性を共有する特定のグループの人々のために役立つ、多くのウェブサイトが存在する。これらの活動の主要な点は、集団の知恵を利用して、合理的決断に到達するために、定量的または定性的を問わず、データを共有することである。
【０００５】
従来の双方向フォーラムは、小集団のユーザのみ、そのデータ（例えば、給与等の数値データまたはホテルのレビュー等の定性的データ）に寄稿しており、共有データセットから妥当な結論を引き出すために、ユーザの能力を偏らせ、制限する可能性があるという事実を被る。ＹＯＵＴＵＢＥ（登録商標）、ＷＩＫＩＰＥＤＩＡ（登録商標）、またはＰＡＴＩＥＮＴＳＬＩＫＥＭＥ（登録商標）等のデータ共有プラットフォームへの参加は、データの８０％が、ユーザの２０％によって寄稿されたものであるという、Ｐａｒｅｔｏ  Ｐｒｉｎｃｉｐｌｅ（パレートの法則）のより誇張された形態であることが、研究から示唆されている。本現象は、「参加の不均衡」と称されている。ロバストな統計は、利用不可能であるが、製品レビュー、記事編集、ブログ投稿、フォーラム投稿等を占めるのは、ごく一部のユーザ（約１−５％）であることが、多くの第一人者によって推測されている。
【０００６】
故に、オンラインコミュニティにおいて、データ提出を促進するためのシステムおよび方法の必要性が存在する。
【発明の概要】
【発明が解決しようとする課題】
【０００７】
本発明は、ユーザが、相互に十分な情報に基づいた決定に到達するのを支援するためのデータを格納または共有するオンラインコミュニティ内のユーザの挙動修正のためのシステムおよび方法に関する。
【課題を解決するための手段】
【０００８】
本発明の一局面は、オンラインコミュニティへの能動的参加を促進するための方法を提供する。方法は、第１のユーザから、トピックに関する情報を受信することと、第２のユーザから、第１のユーザからの所望の追加情報の要求を受信することと、第１のユーザに、追加情報を要求する個人的メッセージを送信することとを含む。
【０００９】
本局面は、種々の実施形態を有することが可能である。方法は、第１のユーザから、追加情報を受信することを含むことが可能である。方法は、追加情報によって、データベースを更新することを含むことが可能である。個人的メッセージは、第２のユーザによって生成される構成要素を含むことが可能である。方法は、追加情報が受信されると、第２のユーザに通知することを含むことが可能である。方法は、第２のユーザに、第１のユーザに謝意を表すように指示することを含むことが可能である。
【００１０】
オンラインコミュニティは、トピック関連のオンラインコミュニティであることが可能である。トピックは、健康に関連することが可能である。追加データは、少なくとも１つの病状測定基準を含むことが可能である。病状測定基準は、病状の定量的表現であることが可能である。病状測定基準は、病理の直接測定、ユーザレポートによる機能障害の測定、ユーザレポートによる健康関連の生活の質の結果、およびユーザレポートによる病状の進行度から成る群から選択される１つであることが可能である。
【００１１】
病状は、パーキンソン病、ハンチントン舞踏病、およびトゥレット症候群を含む、運動障害；背痛を含む、疼痛性障害；関節炎、変形性関節炎、関節リウマチ、乾癬性関節炎、ライム病、および痛風を含む、リウマチ性疾患；てんかんを含む、発作性疾患；筋萎縮性側索硬化症、多発性硬化症、クロイツフェルト・ヤコブ病、およびアルツハイマー病を含む、神経変性疾患；ぜんそく、慢性閉塞性肺疾患、および嚢胞性線維症を含む、肺疾患；勃起障害および膣痙を含む、性的障害；鬱病および不安神経症を含む、気分障害；ニコチン中毒およびアルコール依存症を含む、中毒；片頭痛；線維筋痛；疲労性疾患；認知症；摂食障害；高コレステロール血症；脂質異常症；高リポタンパク血症；高トリグリセリド血症；血管炎、糖尿病；肥満；胃食道逆流障害；消化不良；貧血；癌；高血圧；腎不全；紅斑性狼瘡；および妊娠から成る群から選択される１つであることが可能である。
【００１２】
関連データは、治療介入データを含むことが可能である。治療介入データは、治療介入用量、治療介入頻度、治療介入順守、および知覚される治療介入有効性から成る群から選択される少なくとも１つを含むことが可能である。本発明データは、薬物の投与、治療の施行、栄養剤の投与、ビタミンの投与、運動、物理的療法、マッサージ、ストレッチ、飲食、休息、および睡眠から成る群から選択される治療介入に関するデータであることが可能である。方法は、コンピュータ実装方法であることが可能である。
【００１３】
方法は、第１のユーザに、追加データへのインターフェースを提供することを含むことが可能である。方法は、追加データとともに、既存データレポートを表示することを含むことが可能である。方法は、個人的メッセージの主題に関する追加情報へのハイパーリンクとともに、個人的メッセージを表示することを含むことが可能である。第１のユーザまたは第２のユーザは、事前に識別可能である。
【００１４】
関連データは、１つ以上の有害事象を含むことが可能である。有害事象は、副作用、入院、および支払金額から成る群から選択される１つ以上を含むことが可能である。関連データは、実験室データ、一般定性的データ、および診断試験データから成る群から選択される１つ以上を含む。
【００１５】
方法は、コンピュータ実装方法であることが可能である。
【００１６】
本発明の別の局面は、そのコンテンツによって、コンピュータに、オンラインコミュニティへの能動的参加を促進するための方法を実施させる、コンピュータ可読媒体を提供する。方法は、第１のユーザから、トピックに関する情報を受信することと、第１のユーザからの所望の追加情報を識別することと、第１のユーザに、追加情報を要求する個人的メッセージを送信することとを含む。
【００１７】
コンピュータ可読媒体は、非一時的かつ有形であることが可能である。
【００１８】
本発明の別の局面は、オンラインコミュニティへの能動的参加を促進するためのシステムを提供する。システムは、第１のユーザから、トピックに関する情報を受信し、第１のユーザからの所望の追加情報を識別し、第１のユーザに、追加情報を要求する個人的メッセージを送信するように構成される、サーバと、第１のユーザから、サーバに、情報を伝送し、サーバから、個人的メッセージを受信するように構成される、第１のクライアントとを含む。
【００１９】
本局面は、種々の実施形態を有することが可能である。システムは、サーバに、追加情報の要求を伝送し、追加情報が、第１のユーザによって提供されたことの通知を受信するように構成される、第２のクライアントを含むことが可能である。
本願明細書は、例えば、以下の項目も提供する。
（項目１）
オンラインコミュニティへの能動的参加を促進するための方法であって、
第１のユーザから、トピックに関する情報を受信することと、
第２のユーザから、該第１のユーザからの所望の追加情報の要求を受信することと、
該第１のユーザに、該追加情報を要求する個人的メッセージを送信することと
を含む、方法。
（項目２）
前記第１のユーザから、前記追加情報を受信することをさらに含む、項目１に記載の方法。
（項目３）
前記追加情報によって、データベースを更新することをさらに含む、項目１に記載の方法。
（項目４）
前記個人的メッセージは、前記第２のユーザによって生成される構成要素を含む、項目１に記載の方法。
（項目５）
前記追加情報が受信された場合に、前記第２のユーザに通知することをさらに含む、項目１に記載の方法。
（項目６）
前記第２のユーザに、前記第１のユーザに謝意を表すように指示することをさらに含む、項目１に記載の方法。
（項目７）
前記オンラインコミュニティは、トピック関連のオンラインコミュニティである、項目１に記載の方法。
（項目８）
前記トピックは、健康に関する、項目７に記載の方法。
（項目９）
前記追加データは、少なくとも１つの病状測定基準を含む、項目１に記載の方法。
（項目１０）
前記病状測定基準は、病状の定量的表現である、項目９に記載の方法。
（項目１１）
前記病状測定基準は、病理の直接測定、ユーザレポートによる機能障害の測定、ユーザレポートによる健康関連の生活の質の結果、およびユーザレポートによる病状の進行度から成る群から選択される１つである、項目９に記載の方法。
（項目１２）
前記病状は、パーキンソン病、ハンチントン舞踏病、およびトゥレット症候群を含む運動障害；背痛を含む疼痛性障害；関節炎、変形性関節炎、関節リウマチ、乾癬性関節炎、ライム病、および痛風を含むリウマチ性疾患；てんかんを含む発作性疾患；筋萎縮性側索硬化症、多発性硬化症、クロイツフェルト・ヤコブ病、およびアルツハイマー病を含む神経変性疾患；ぜんそく、慢性閉塞性肺疾患、および嚢胞性線維症を含む肺疾患；勃起障害および膣痙を含む性的障害；鬱病および不安神経症を含む気分障害；ニコチン中毒およびアルコール依存症を含む中毒；片頭痛；線維筋痛；疲労性疾患；認知症；摂食障害；高コレステロール血症；脂質異常症；高リポタンパク血症；高トリグリセリド血症；血管炎、糖尿病；肥満；胃食道逆流障害；消化不良；貧血；癌；高血圧；腎不全；紅斑性狼瘡；および妊娠から成る群から選択される１つである、項目９に記載の方法。
（項目１３）
前記関連データは、治療介入データを含む、項目１に記載の方法。
（項目１４）
前記治療介入データは、治療介入用量、治療介入頻度、治療介入順守、および知覚される治療介入有効性から成る群から選択される少なくとも１つを含む、項目１３に記載の方法。
（項目１５）
本発明のデータは、薬物の投与、治療薬の投与、栄養剤の投与、ビタミンの投与、運動、物理的療法、マッサージ、ストレッチ、飲食、休息、および睡眠から成る群から選択される、治療介入に関するデータである、項目１３に記載の方法。
（項目１６）
前記方法は、コンピュータ実装方法である、項目１に記載の方法。
（項目１７）
前記第１のユーザに、前記追加データへのインターフェースを提供することをさらに含む、項目１に記載の方法。
（項目１８）
前記追加データを既存データレポートとともに表示することをさらに含む、項目１７に記載の方法。
（項目１９）
前記個人的メッセージの主題に関する追加情報へのハイパーリンクを、前記個人的メッセージとともに表示することをさらに含む、項目１に記載の方法。
（項目２０）
前記第１のユーザは、事前に識別される、項目１に記載の方法。
（項目２１）
前記第２のユーザは、事前に識別される、項目１に記載の方法。
（項目２２）
前記関連データは、１つ以上の有害事象を含む、項目１に記載の方法。
（項目２３）
前記有害事象は、副作用、入院、および支払金額から成る群から選択される１つ以上を含む、項目１に記載の方法。
（項目２４）
前記関連データは、実験室データ、一般定性的データ、および診断試験データから成る群から選択される１つ以上を含む、項目１に記載の方法。
（項目２５）
前記方法は、コンピュータ実装方法である、項目１に記載の方法。
（項目２６）
コンピュータ可読媒体であって、該コンピュータ可読媒体のコンテンツは、コンピュータに、オンラインコミュニティへの能動的参加を促進する方法を実施させ、
該方法は、
第１のユーザから、トピックに関する情報を受信することと、
該第１のユーザからの所望の追加情報を識別することと、
該第１のユーザに、該追加情報を要求する個人的メッセージを送信することと
を含む、コンピュータ可読媒体。
（項目２７）
前記コンピュータ可読媒体は、非一時的かつ有形である、項目２６に記載のコンピュータ可読媒体。
（項目２８）
オンラインコミュニティへの能動的参加を促進するためのシステムであって、
第１のユーザから、トピックに関する情報を受信することと、
該第１のユーザからの所望の追加情報を識別することと、
該第１のユーザに、該追加情報を要求する個人的メッセージを送信することと
を行うように構成されたサーバと、
該第１のユーザから、該サーバに情報を伝送することと、
該サーバから、個人的メッセージを受信することと
を行うように構成された第１のクライアントと
を備えている、システム。
（項目２９）
前記サーバに、前記追加情報の要求を伝送することと、
該追加情報が、前記第１のユーザによって提供されたことの通知を受信することと
を行うように構成された第２のクライアントをさらに備えている、項目２８に記載のシステム。
【図面の簡単な説明】
【００２０】
本発明の性質および所望の目的のより完全な理解のために、付随の図面（同一参照文字は、いくつかの図を通して、対応する部分を示す）と関連して検討される、以下の発明を実施するための形態を参照する。
【図１】図１は、本発明のある実施形態による、例示的ネットワークトポロジを表す。
【図２】図２は、本発明のある実施形態による、オンラインコミュニティへの能動的参加を促進するための方法を表す。
【図３】図３は、本発明のある実施形態による、オンラインコミュニティにおけるユーザプロファイルからの抜粋を表す。
【図４】図４は、別のユーザが、追加情報を要求していることを示す、例示的メッセージを表す。
【図５】図５は、本発明のある実施形態による、確認応答メッセージを表す。
【図６】図６は、本発明のある実施形態による、レポートを表す。
【発明を実施するための形態】
【００２１】
（定義）
本発明は、以下の定義を参照することによって、最も明確に理解される
明細書および請求項において使用されるように、単数形「ａ」、「ａｎ」、および「ｔｈｅ」は、文脈によって別途明確に示されない限り、複数参照も含む。
【００２２】
用語「ナッジ」とは、コミュニティにより良い決定をもたらすのを支援するために、あるピア（「ピアナッジ要請者」）から別のピア（「被ナッジ要請者」）への特定のデータピースを共有するための特定の要求としての役割を果たす、プライベートメッセージ、電子メール、グラフィック、サウンドファイル、テキストメッセージ（ＳＭＳ）、または他の形態の伝送データを指す。
【００２３】
用語「疾患」とは、身体機能を損なう、器官の異常状態を指す。疾患として、神経系疾患（例えば、筋萎縮性側索硬化症（ＡＬＳ）、多発性硬化症（ＭＳ）、パーキンソン病）、ヒト免疫不全ウイルス（ＨＩＶ）、後天性免疫不全症候群（ＡＩＤＳ）、癌（例えば、膀胱癌、血液癌、乳癌、色結腸直腸癌、子宮内膜癌、白血病、肺癌、リンパ腫、卵巣癌、膵臓癌、前立腺癌、および皮膚癌）、糖尿病、消化器疾患（例えば、過敏性腸症候群、胃食道逆流疾患、およびクローン病）、循環器疾患、骨粗しょう症、慢性閉塞性肺疾患（ＣＯＰＤ）、関節炎、アレルギー、老人病、および自己免疫疾患（例えば、紅斑性狼瘡）を含むが、それらに限定されない、種々の肉体的病気が挙げられる。また、疾患として、鬱病、不安神経症、心的外傷後ストレス障害、気分障害、精神異常、人格障害、および摂食障害を含むが、それらに限定されない、精神的病気が挙げられる。
【００２４】
用語「病状」とは、症状等の疾患の兆候を指す。例えば、筋萎縮性側索硬化症（ＡＬＳ）患者の場合、患者は、嚥下障害（嚥下困難）等の１つ以上の病状を経験し得る。
【００２５】
用語「治療介入」とは、１つ以上の病状に及ぼす、陽性、陰性、または中立的効果を有する、あらゆる事象を指す。治療介入として、薬物の投与、治療の施行、栄養剤の投与、ビタミンの投与、運動、物理的療法、マッサージ、ストレッチ、飲食、休息、および睡眠を含むが、それらに限定されない、種々の活動が挙げられる。
【００２６】
本明細書に説明される本発明の種々の局面は、オンラインコミュニティ内のユーザの挙動修正のためのシステムおよび方法を提供する。本発明の局面は、特に、メッセージボード（また、インターネットフォーラム、オンラインディスカッションサイト、電子掲示板としても知られる）等の双方向フォーラムに適用可能である。また、本発明の局面は、他の種々のインターネット用途にも適用可能である。
【００２７】
図１を参照すると、双方向フォーラム（例えば、メッセージボード）のための例示的ネットワークトポロジ１００が、表されている。メッセージボードは、ネットワーク１０６を介して、クライアント１０４ａ−ｃと通信する、サーバ１０２にホストされる。
【００２８】
用語「クライアント」および「サーバ」は、要素１０２と１０４ａ−１０４ｃとの間のクライアント−サーバ関係を反映するために使用される。サーバ要素１０２のための好適なデバイスとして、口語的に「サーバ」として知られる、高速処理能力を持つコンピュータを含むが、それに限定されない、汎用コンピュータが挙げられるが、それに限定されない。同様に、クライアント要素１０４ａ−１０４ｃのための好適なデバイスとして、デスクトップコンピュータ、ラップトップコンピュータ、携帯端末、携帯電話、スマートフォン、ビデオゲームシステム、デジタルビデオレコーダ（ＤＶＲ）等を含むが、それらに限定されない、汎用コンピュータが挙げられるが、それに限定されない。
【００２９】
ネットワーク１０６は、クライアント１０４ａ−１０４ｃとサーバ１０２との間でデータを伝送可能な任意のネットワーク、例えば、イントラネットまたはインターネットであることが可能である。
【００３０】
サーバは、データベース１０８と通信可能である。データベース１０８は、データベース管理システム（ＤＢＭＳ）を通して操作可能である。ＤＢＭＳは、データの論理および構造化体系を形成するように、データに作用する。ＤＢＭＳは、データの物理的記憶装置とユーザとの間にあり、その２つの間の相互作用を処理する。ＤＢＭＳの実施例として、ＤＢ２（登録商標）およびＩＮＦＯＲＭＩＸ（登録商標）（両方とも、ＩＢＭ  Ｃｏｒｐ．（Ａｒｍｏｎｋ、Ｎｅｗ  Ｙｏｒｋ）から入手可能）；ＭＩＣＲＯＳＯＦＴ  ＪＥＴ（登録商標）およびＭＩＣＲＯＳＯＦＴ  ＳＱＬ  ＳＥＲＶＥＲ（登録商標）（両方とも、Ｍｉｃｒｏｓｏｆｔ  Ｃｏｒｐ．（Ｒｅｄｍｏｎｄ、Ｗａｓｈｉｎｇｔｏｎ）から入手可能）；ＭＹＳＱＬ（登録商標）（ＭｙＳＱＬ  Ｌｔｄ．Ｃｏ．（  Ｓｔｏｃｋｈｏｌｍ、Ｓｗｅｄｅｎ）から入手可能）；ＯＲＡＣＬＥ（登録商標）  Ｄａｔａｂａｓｅ（Ｏｒａｃｌｅ  Ｉｎｔ’ｌ  Ｃｏｒｐ（Ｒｅｄｗｏｏｄ  Ｃｉｔｙ、Ｃａｌｉｆｏｒｎｉａ）から入手可能）；ならびに  ＳＹＢＡＳＥ（登録商標）（Ｓｙｂａｓｅ，  Ｉｎｃ．（Ｄｕｂｌｉｎ、Ｃａｌｉｆｏｒｎｉａ）から入手可能）が挙げられる。
【００３１】
本発明の種々の実施形態は、オンラインコミュニティへの参加向上を促進する。オンラインコミュニティは、現代のネットワーク世界における多様体である。例えば、オンラインコミュニティは、１つ以上の疾患等の特定のトピックに焦点を当てることが可能である。そのようなコミュニティとして、ＰａｔｉｅｎｓＬｉｋｅＭｅ，  Ｉｎｃ．（Ｃａｍｂｒｉｄｇｅ、Ｍａｓｓａｃｈｕｓｅｔｔｓ）から入手可能なＰＡＴＩＥＮＴＳＬＩＫＥＭＥ（登録商標）システムが挙げられる。他のオンラインコミュニティとして、オンラインゲーム（例えば、ＷＯＲＬＤ  ＯＦ  ＷＡＲＣＲＡＦＴ（登録商標））、テレビ番組、住宅リフォーム、料理等に焦点を当てることも可能である。
【００３２】
オンラインコミュニティの強力な局面は、ユーザの物理的ネットワーク内に存在し得る、広範囲に及ぶ個人から情報および／または助言を得る能力である。しかしながら、本可能性は、完全に活用されていないことが、研究および実験から示唆される。故に、本発明は、オンラインコミュニティへのユーザ情報の提出を促進するためのシステムおよび方法を提供する。
【００３３】
図２は、オンラインコミュニティへの能動的参加を促進するための方法２００を表す。ステップＳ２０２では、情報が、第１のユーザから、受信される。情報は、多くの場合、特定のトピックに関するであろう。例えば、健康関連のオンラインコミュニティでは、第１のユーザは、多発性硬化症（ＭＳ）に罹患しており、現在、ＣＯＰＡＸＯＮＥ（登録商標）（酢酸グラチラマ）を服用していることを示すプロファイルを作成し得る。しかしながら、ユーザは、初期段階において、不完全な情報を入力し得る、またはＣＯＰＡＸＯＮＥ（登録商標）投薬計画への順守およびＭＳ症状を頻繁に更新することを怠るにつれて、オンラインコミュニティへの該ユーザの参加が、減少し得る。
【００３４】
ステップＳ２０４では、所望の追加情報が、識別される。本追加情報は、多くの実施形態におけるものであり、オンラインコミュニティの１人以上の他のユーザへの特定の関心および／または関連性によるものである。例えば、第１のユーザは、２０歳の時に、ＭＳと診断された１０名の２５歳の男性のうちの１人であり得る。したがって、第１のユーザのＭＳ進行度およびＣＯＰＡＸＯＮＥ（登録商標）経験は、特に、２０歳およびＭＳと新しく診断された第２のユーザに関連し得る。
【００３５】
関連する追加情報は、いくつかの方法で識別可能である。一実施形態では、データ検索プロセスまたはモジュールが、既存のデータを調べ、どの追加情報が、第２のユーザの関心となり得るかを決定する。例えば、システムは、データを分析し、どの追加情報が、ナッジ要請者の予測を生成するために有用となるかを決定し得る。次いで、システムは、ナッジ要請者の代わりに、自動的に要求を送信可能である。別の実施形態では、ナッジ要請者は、オンラインコミュニティの他のユーザと関連付けられたデータをブラウズおよび／または検索し、他の着目ユーザを見つけ、追加情報を要求可能である。第３の実施形態では、１人以上のユーザのデータが、ナッジ要請者のレビューのために提示される、ハイブリッドアプローチが採用される。例えば、システムは、１０名のＭＳユーザのプロファイルおよび類似人口統計情報をナッジ要請者に提示し得る。次いで、ナッジ要請者は、プロファイルが提示された１人以上のユーザから追加情報を要求可能である。
【００３６】
ステップＳ２０６では、第１のユーザに、追加情報をオンラインコミュニティに提供することを依頼する、個人的メッセージが、第１のユーザに送信される。個人的メッセージは、第１のユーザ専用にアドレス可能であるか、または第１のユーザは、少数グループのユーザのうちの１人であり得る。いくつかの実施形態では、個人的メッセージは、第２のユーザによって提供される構成要素を含む。
【００３７】
個人的メッセージは、ユーザの情報提出の増加を促進する。被ナッジ要請者は、具体的に識別されたナッジ要請者を支援しようとする要求によって、より情報を提供する傾向となり得る。
【００３８】
個人的メッセージは、種々の媒体で提示され、当業者によって理解される種々の手段を通して伝送される。例えば、個人的メッセージは、１つ以上のテキスト、オーディオ、ビデオ、および／またはグラフィック構成要素を含むことが可能である。個人的メッセージは、オンラインコミュニティへのログインに応じて、第１のユーザに提示されるか、または電子メール、ショートメッセージサービス（ＳＭＳ）、インスタントメッセージ、電話、郵便サービス等によって、第１のユーザに伝送も可能である。
【００３９】
ステップＳ２０８では、追加情報が、第１のユーザから、受信される。ステップＳ２１０では、本追加情報は、例えば、追加情報をデータベースに記憶することによって、オンラインコミュニティに統合可能である。次いで、追加情報は、他のユーザに、かつオンラインコミュニティによる処理のために、利用可能となる。
【００４０】
ステップＳ２１２では、１人以上の他のユーザは、第１のユーザによる追加情報の提出をアラートされる。本アラートは、種々の媒体で提示され、当業者によって理解され、Ｓ２０６における個人的メッセージの文脈において論じられた種々の手段を通して伝達可能である。いくつかの実施形態では、ナッジ要請者に、アラートされる。他の実施形態では、提出されたデータから利益を享受し得る、他のユーザにも、アラートされる。ユーザは、周期的に更新を受信するように、アラート設定を構成可能である。例えば、ユーザは、本ユーザによって要求された、および／または他のユーザによって要求され、本ユーザに関連するデータが投稿されると、毎日または毎週更新を受信可能である。
【００４１】
ステップＳ２１４では、確認応答が、第１のユーザに送信される。本確認応答は、種々の媒体で提示され、当業者によって理解され、Ｓ２０６における個人的メッセージの文脈において論じられた種々の手段を通して伝送可能である。いくつかの実施形態では、確認応答は、第２のユーザによって生成される構成要素を含む。他の実施形態では、確認応答は、自動的に生成される。
【００４２】
本発明は、以下の実施例を通して、本明細書にさらに説明されるが、ある実施形態をさらに例証することを意図するものであって、本発明をいかようにも限定するものではない。
【００４３】
（実施例１）健康関連のオンラインコミュニティ
次に、図３を参照すると、本発明の例示的実施形態について説明されている。ユーザ「ＢｌｅｓｓｅｄＷｉｔｈＭＳ」は、薬物ＰＲＯＺＡＣ（登録商標）（塩酸フルオキセチン）を服用していることを示すデータをそのプロファイルに追加する。しかしながら、用量等の他の情報を入力するのを怠り、それがどのような影響を及ぼし得るか、または及ぼさないことがあるかについての考えを共有するための薬物の評価について、未だ記入していない。ユーザ「ＤａｔａＪｕｎｋｉｅ」は、そのオンラインコミュニティにログインし、ＢｌｅｓｓｅｄＷｉｔｈＭＳのプロファイル（図３に表される抜粋３００）を閲覧する。ＢｌｅｓｓｅｄＷｉｔｈＭＳのプロファイルは、多発性硬化症の予測発病時３０４および診断３０６ならびにユーザの最後の更新３０８を表示するチャート３０２を含む。水平バー３１０は、ＣＯＰＡＸＯＮＥ（登録商標）に関するＢｌｅｓｓｅｄＷｉｔｈＭＳの利用履歴を表す。水平バー３１２は、ＢｌｅｓｓｅｄＷｉｔｈＭＳが、ＰＲＯＺＡＣ（登録商標）の服用を示しているが、さらなる利用履歴を提供していないことを表す。
【００４４】
ＤａｔａＪｕｎｋｉｅは、ＰＲＯＺＡＣ（登録商標）を服用すべきかどうかに関する決定について、より良い情報を得るために、ＰＲＯＺＡＣ（登録商標）に関する関連詳細を追加し、評価を記入するように、ＢｌｅｓｓｅｄＷｉｔｈＭＳを促進することを欲する。ＤａｔａＪｕｎｋｉｅは、ＤａｔａＪｕｎｋｉｅに、ＢｌｅｓｓｅｄＷｉｔｈＭＳに記入して欲しいと関心があるデータフィールドと理由を示すように指示する、ＢｌｅｓｓｅｄＷｉｔｈＭＳのプロファイル上の「ナッジ」ボタン３１４を押下する。関心があるデータが示されると、要求が伝送される（例えば、「送信」ボタンを押下することによって）。
【００４５】
ユーザＢｌｅｓｓｅｄＷｉｔｈＭＳは、別のユーザが追加情報を要求していることを示す、メッセージ（例えば、ナッジ）を受信する。例示的メッセージ４００が、図４に表されている。メッセージ４００は、ＤａｔａＪｕｎｋｉｅからの構成要素４０２と、ＤａｔａＪｕｎｋｉｅが要求した関連情報を提供するのを支援する、１つ以上の構造化されたデータ入力フィールド４０４とを含むことが可能である。
【００４６】
図５では、ＢｌｅｓｓｅｄＷｉｔｈＭＳが、追加要求データを入力および伝送すると、ＢｌｅｓｓｅｄＷｉｔｈＭＳは、確認応答メッセージ５００を受信する。確認応答メッセージ５００は、「謝意」メッセージ５０２と、他のユーザが十分な情報に基づいた決定を行うのに役立つように、追加データがどのように集積されたかを実証するレポート５０４とを含むことが可能である。ユーザＤａｔａＪｕｎｋｉｅは、要求が充足されたことが通知され、謝意を表すメモを送信するオプションを有する。
【００４７】
次に、図６を参照すると、追加データが、既存ユーザデータと統合され、１つ以上の集約レポート６００を作成可能である。レポート６００は、特定のトピック（例えば、特定の病状または特定の治療）について記載可能である。レポート６００は、フルオキセチン（ＰＲＯＺＡＣ（登録商標））の説明６０２と、ユーザがフルオキセチンを服用している理由を表すチャート６０４と、典型的用量を表すチャート６０６とを含む。また、レポート６００は、ユーザがそのプロファイルを更新するためのリンク６０８と、その投稿が有用であったことを示すリンク６１０と、ＰＲＯＺＡＣ（登録商標）を服用している他のユーザのプロファイルへのリンク６１２とを含む。
【００４８】
不正使用または迷惑回避のために、データ要求は、指定ユーザから遮断可能である。加えて、または代替として、ユーザは、ある期間の間のみ要求を受信する（例えば、全要求を週間ダイジェストに合体して）、ある個人またはグループへの要求を限定する、あるいは要求を遮断するように選好を設定可能である。また、ユーザは、所与の期間内において、有限数の要求を送信するように制限可能である。
【００４９】
（実施例２）消費者フィードバックオンラインコミュニティ
別の実施形態では、本発明は、一般的消費者レビューサイト（例えば、ＹＥＬＰ（登録商標）（Ｙｅｌｐ！  Ｉｎｃ．（Ｓａｎ  Ｆｒａｎｃｉｓｃｏ、Ｃａｌｉｆｏｒｎｉａ）から入手可能）；ＡＮＧＩＥ’Ｓ  ＬＩＳＴ（登録商標）（Ｂｒｏｗｎｓｔｏｎｅ  Ｐｕｂｌｉｓｈｉｎｇ，  ＬＬＣ（Ｉｎｄｉａｎａｐｏｌｉｓ、Ｉｎｄｉａｎａ）から入手可能）；および  ＥＰＩＮＩＯＮＳ（登録商標）（Ｓｈｏｐｐｉｎｇ．ｃｏｍ，Ｉｎｃ．（Ｓａｎ  Ｊｏｓｅ、Ｃａｌｉｆｏｒｎｉａ）から入手可能）、ホテルレビューサイト（例えば、ＴＲＩＰＡＤＶＩＳＯＲ（登録商標）（ＴｒｉｐＡｄｖｉｓｏｒ  ＬＬＣ（Ｎｅｅｄｈａｍ、Ｍａｓｓａｃｈｕｓｅｔｔｓ）から入手可能）、レストランレビューサイト（例えば、ＯＰＥＮＴＡＢＬＥ（登録商標）（ＯｐｅｎＴａｂｌｅ，  Ｉｎｃ．（Ｓａｎ  Ｆｒａｎｃｉｓｃｏ、Ｃａｌｉｆｏｒｎｉａ）から入手可能）；およびＺＡＧＡＴ（登録商標）（Ｚａｇａｔ  Ｓｕｒｖｅｙ，  ＬＬＣ（Ｎｅｗ  Ｙｏｒｋ、Ｎｅｗ  Ｙｏｒｋ）から入手可能）、消費者家電レビューサイト（例えば、ＣＮＥＴ（登録商標）（ＣＢＳ  Ｉｎｔｅｒａｃｔｉｖｅ  Ｉｎｃ．（Ｎｅｗ  Ｙｏｒｋ、Ｎｅｗ  Ｙｏｒｋ）から入手可能）等の消費者フィードバックオンラインコミュニティに適用される。
【００５０】
サービス経験に対する評価者の満足度を測定するために、種々の格付尺度が存在する。サービスがとても良い／良い／普通／悪い／とても悪かったかどうかを尋ねる等の個別の尺度に加え、評価者に、例えば、１−１０の数値尺度に基づいて、そのサービス経験の１つまたは複数の局面を定量化させる、数値尺度も使用可能である。格付尺度は、消費者サービス、品質、衛生度、利便性、スピード、雰囲気、および全体的満足度を含むことが可能である。
【００５１】
所与のユーザに対するレビューは、特定の時間と関連付けることが可能である。例えば、評価者は、所与の時間点におけるレストランに対するレビューを提出し、その後さらにレストランを訪れ、その後訪れる度にレビューを提出し得る。これによって、時系列に従って、体系化可能になり、また、サービス提供者の所有権が変更になった日付、および／または改装を行った日付も反映可能となる。
【００５２】
消費者レビューオンラインコミュニティは、他のオンラインコミュニティと統合可能である。例えば、オンラインレビューコミュニティは、ＦＡＣＥＢＯＯＫ（登録商標）（Ｆａｃｅｂｏｏｋ，  Ｉｎｃ．（Ｐａｌｏ  Ａｌｔｏ、Ｃａｌｉｆｏｒｎｉａ）から入手可能）；ＧＡＴＨＥＲ．ＣＯＭ（登録商標）（Ｇａｔｈｅｒ  Ｉｎｃ．（Ｂｏｓｔｏｎ、Ｍａｓｓａｃｈｕｓｅｔｔｓ）から入手可能）；ＬＩＮＫＥＤＩＮ（登録商標）（ＬｉｎｋｅｄＩｎ  Ｃｏｒｐ．（Ｍｏｕｎｔａｉｎ  Ｖｉｅｗ、Ｃａｌｉｆｏｒｎｉａ）から入手可能）；ＰＡＴＩＥＮＴＳＬＩＫＥＭＥ（登録商標）（ＰａｔｉｅｎｔｓＬｉｋｅＭｅ，  Ｉｎｃ．（Ｃａｍｂｒｉｄｇｅ、Ｍａｓｓａｃｈｕｓｅｔｔｓ）から入手可能）等のソーシャルネットワークサービスと統合可能である。そのような配列下では、第１のユーザが、あるレストランで食事をすることを検討する場合、第１のユーザは、そのネットワーク内の第２のユーザが、そのレストランで最近食事したが、レビューを提出していないことをアラートされ得る。次いで、第１のユーザは、第２のユーザに、レストランに対するレビューを記入するように要求可能である。
【００５３】
（データ検証および拡張）
別の実施形態では、本明細書に開示されるシステムおよび方法は、オンラインコミュニティ内のデータの検証および拡張を促進するように適合される。
【００５４】
ユーザは、時々、特異なデータを入力し得る。例えば、筋萎縮性側索硬化症（ＡＬＳ）に罹患している第１のユーザは、２００ｍｇのリチウムを毎日服用していることを示すことが可能である。そのプロファイルを閲覧する他のユーザは、本データに気付き、第１のユーザに、本データが正確であるか検証することを依頼するメッセージを送信する。次いで、ユーザは、データが正確であることを確認したことを応答する（この時点において、本データ点に対する将来的検証要求を無効にすることが可能である）、またはデータを補正することが可能である。そのような方法は、データの信頼性を促進し、新しい治療を識別するのを支援することが可能となる。
【００５５】
また、ユーザは、種々の事象（例えば、病状変化）に関するデータを入力可能である。例えば、ＡＬＳのために、リチウムを服用している第１のユーザは、尋常性座瘡を発症したことを報告し得る。別のユーザは、第１のユーザに、座瘡の発症が「有害事象」であるかどうか尋ねるメッセージを送信し、何が座瘡の原因となり得たか、ユーザの考えを尋ねてもよい。応答からのデータは、治療によって生じる悪影響を識別するために集積可能であって、特に、未知の薬物間の有害な相互作用を識別するのに有用となり得る。
【００５６】
（報酬システムの統合）
本明細書に説明されるオンラインコミュニティは、ユーザ参加の増加を促進するために、１つ以上の報酬システムと統合可能である。例えば、ユーザは、情報を投稿すること、別のユーザに追加情報の要求を送信すること、要求に応答すること等に対して、クレジット（また、ポイント、星等として知られる）を獲得し得る。報酬クレジットのための種々のシステムは、米国特許出願公開第２００２／０１８４０９４号等の刊行物に記載されている。
【００５７】
クレジットは、種々の方法で使用可能である。ユーザによって獲得されたクレジット数は、ユーザのプロファイル内に表示可能である。ユーザは、オンラインコミュニティへのユーザの貢献度を反映する、種々のレベルを達成可能である。クレジットは、種々の賞品と交換可能である。また、クレジットは、オンラインコミュニティ内の情報の表示に影響を及ぼすようにも使用可能である。例えば、より多くのクレジットを持つユーザの投稿は、より少ないクレジットを持つユーザより目立って表示され得る。
【００５８】
（潜在的副作用の識別）
本発明の実施形態は、治療介入の潜在的副作用を識別するために利用可能である。
【００５９】
（参照による引用）
本明細書に開示されるすべての特許、公開特許出願、および他の参考文献は、参照することによって、全体として本明細書に明示的に組み込まれる。
【００６０】
（均等物）
当業者は、単にルーチン実験を使用して、本明細書に説明される本発明の特定の実施形態の多くの均等物を認識し、解明することが可能となるであろう。具体的には、本願は、「疾患」への本発明の用途について随時論じているが、本発明は、老化、不妊等の他の医療事象にも同等に適用可能である。さらに、本発明は、医療事象および状態に限定されず、運動トレーニング、減量、学業成績、財務管理等の他のトピックにも適用可能である。そのような均等物は、以下の請求項によって包含されることが意図される。
【図１】
0005501445.tif 000002
【図２】
0005501445.tif 000003
【図３】
0005501445.tif 000004
【図４】
0005501445.tif 000005
【図５】
0005501445.tif 000006
【図６】
0005501445.tif 000007